(57)【要約】      （修正有）【課題】あらたにＡＰＰのダウンロードが必要なく、会話型ソフトウェアまたはソーシャルメディアを利用し、遠隔地にある応用デバイスを制御できる制御装置を提供する。【解決手段】第１会話ユニット１０と、第２会話ユニット２０と、応用デバイス３０と、ダウンロードコンバーター４２とを備える。第１会話ユニットは、第１会話フレーム１２と、第１ユーザーインターフェース１４と、第１出力ユニット１６と、を含む。第２会話ユニットは、第２会話フレーム２２と、第２ユーザーインターフェース２４と、第２出力ユニット２６と、を含む。応用デバイスを第２電子情報装置４０の第２会話フレームに接続し、第２ユーザーインターフェースを介して、第２会話ユニットにログインして、第２会話フレームを介して会話できる。ダウンロードコンバーターが第２会話ユニットに接続され、第２会話ユニットのスクリプトをマシンコマンドに変換して、ネットワークを介してコマンドを伝送させる。【選択図】図１
0003226163.tif 000002
【実用新案登録請求の範囲】
【請求項１】
第１会話ユニットと、
第２会話ユニットと、
応用デバイスと、
ダウンロードコンバーターと、を備え、
前記第１会話ユニットは、特定の会話型ソフトウェアに対応し、第１会話フレームと、第１ユーザーインターフェースと、第１出力ユニットと、を含み、ユーザは、前記第１ユーザーインターフェースを介して、前記第１会話ユニットにログイン可能であり、前記第２会話ユニットが前記特定な会話型ソフトウェアに対応し、
前記第２会話ユニットは、前記第１会話ユニットに接続し、前記特定な会話型ソフトウェアに対応し、第２会話フレームと、第２ユーザーインターフェースと、第２出力ユニットとを含み、
前記応用デバイスを第２電子情報装置の前記第２会話フレームに接続し、前記第２ユーザーインターフェースを介して、前記第２会話ユニットにログインして、前記第２会話フレームを介して会話可能であり、
前記ダウンロードコンバーターを前記第２出力ユニットに接続し、前記第２会話ユニットのスクリプトをマシンコマンドに変換した上、コマンドがネットワークを介して伝送されることを特徴とする会話型ソフトウェアを用いた制御装置。
【請求項２】
前記応用デバイスのマシンコマンドを前記会話型ソフトウェアが受け入れ可能なスクリプトに変換した上、前記第２会話ユニットに伝送し、前記第２会話ユニットに接続するアップロードコンバーターを更に含むことを特徴とする請求項１記載の会話型ソフトウェアを用いた制御装置。
【請求項３】
コマンド推奨ユニットを更に含み、前記ダウンロードコンバーターが前記第１会話ユニットより送信した会話スクリプトが前記応用デバイスに受け入れ不能である場合、前記コマンド推奨ユニットに進み、設計ロジックを用いて、対応または近似で、かつ、受け入れ可能なコマンドを見つけ出して、前記第２会話ユニットを介して、第１電子情報装置の前記第１会話ユニットに伝送してユーザに選択させ、ユーザの目的に合致し、かつ、前記第１会話ユニットが受け入れ可能なコマンドを形成した上、前記応用デバイスに伝送することを特徴とする請求項１記載の会話型ソフトウェアを用いた制御装置。
【請求項４】
設計ロジックを用いて、対応または近似で、受け入れ可能なコマンドを見つけ出し、前記コマンドが複数の文字またはグラフィックで表示されることを特徴とする請求項３記載の会話型ソフトウェアを用いた制御装置。
【請求項５】
マシン側アプリケーションが前記応用デバイスに内蔵され、コンバーターのマシンコマンドを受信し、前記マシンコマンドに基づき、前記応用デバイスに必要な動作を指示することを特徴とする請求項３記載の会話型ソフトウェアを用いた制御装置。
【請求項６】
前記第１会話ユニットにおいて会話グループを形成し、それぞれのユーザが自らの前記第１電子情報装置の前記第１会話ユニットを介して、前記第１会話フレームに進み、前記会話グループを形成可能であり、前記会話グループに少なくとも１つの前記応用デバイスを形成し、複数のユーザが少なくとも１つの前記応用デバイスの現状を把握し、複数ユーザが同時に前記応用デバイスの監視制御の目的を達成することを特徴とする請求項３記載の会話型ソフトウェアを用いた制御装置。
【請求項７】
前記会話型ソフトウェアは、ソーシャルネットワークキングサービスアプリのいずか一つであることを特徴とする請求項１記載の会話型ソフトウェアを用いた制御装置。
【請求項８】
前記第２会話フレーム、バーチャルユニットを用いて、双方向会話のバーチャル接続することができ、携帯電話で実際に表示するグラフィックインターフェイスを用いないことを特徴とする請求項１記載の会話型ソフトウェアを用いた制御装置。
【請求項９】
前記第２会話ユニットをクラウド装置に内蔵することを特徴とする請求項１記載の会話型ソフトウェアを用いた制御装置。
【請求項１０】
前記ダウンロードコンバーターは、スクリーニング機制をさらに含み、
前記第２会話ユニットは、会話スクリプトを受信したとき、まず、前記ダウンロードコンバーターに伝送して、前記スクリプトが受け入れ可能なコマンドであるか否かを判断した上、前記コマンドが前記ネットワークを介して、前記応用デバイスに伝送され、これに対して、前記ダウンロードコンバーターが変換する際、前記会話スクリプトが前記応用デバイスによって受け入れ不能な前記コマンドと判断した場合、コマンドエラーのコマンドが前記ネットワークを介して、前記第１会話フレームにフィードバックすることを特徴とする請求項１記載の会話型ソフトウェアを用いた制御装置。
【請求項１１】
会話グループの一部のユーザに前記応用デバイスの操作権限を与える方法として、前記ユーザが会話する際、前記ダウンロードコンバーターにおいて、前記ユーザにかかる前記応用デバイスの操作の権限を識別することを特徴とする請求項６記載の会話型ソフトウェアを用いた制御装置。
【考案の詳細な説明】
【技術分野】
【０００１】
本考案は実体構造の制御に関し、特に会話型ソフトウェアを用いた制御装置に関する。
【背景技術】
【０００２】
携帯電話を用いて、様々な装置を遠隔地より制御することは、もはやモノのインターネットの重要な潮流となった。一例として、携帯電話を用いた家庭内各空間の電灯またはその他の電子装置の制御がある。一般として、前述した制御の応用は、ユーザがまずクラウドより関連電子装置のアプリケーション（以下、「ＡＰＰ」）をダウンロードし、これらのＡＰＰをクリック選択及び操作することによって、遠隔地でこれらの電子装置を制御できる。さらに、例えばカメラなど、近端にある各種検出具を利用すれば、近端にある電子装置の稼働状態を把握することができる。
【考案の概要】
【考案が解決しようとする課題】
【０００３】
しかし、電子装置の種類が多くあり、しかも統一された制御フォーマットがないため、各業者とも自らの商品専用のＡＰＰ開発に強いられている。それらのＡＰＰ同士も許容性がないため、ユーザは個々の電子装置にそれぞれの対応のＡＰＰを導入しなければならない。ユーザは同じ空間の異なる装置について、ＡＰＰをそれぞれダウンロードしなければ、個々の電子装置を制御することはできない。
【０００４】
その結果、一つの携帯電話に複数のＡＰＰが導入され、しかもＡＰＰもそれぞれ異なる制御方式があるため、ユーザに不便をもたらすのみならず、それぞれのＡＰＰに多くの制御コマンドを持っていることから、ユーザの操作が非常に不便である。
【０００５】
現在、ほとんどの人は、すでに携帯電話の会話型ソフトウェアまたはソーシャルメディアソフトウェアを用いて、会話またはデータ伝送が行われている。そのため、一般の人々は、これらの会話型ソフトウェアまたはソーシャルメディアに相当馴染んでいる。
【０００６】
本考案において、斬新なコミュニケーション手段が提供される。あらたにＡＰＰをダウンロード必要なく、会話型ソフトウェアまたはソーシャルメディアを利用し、遠隔地にある応用デバイスを制御することによって、公知技術の欠点を解消したい。
【課題を解決するための手段】
【０００７】
本考案の目的は前述した公知技術の課題解決になされたものであり、本考案より会話型ソフトウェアを用いた制御装置を提供するものである。本考案を適用すれば、ユーザは従来の会話型ソフトウェアのみで、様々な応用デバイスを制御できる。ブランドまたは種類が異なる応用デバイスは、本案のＡＰＰを導入して変換することで、クラウド側の会話ユニットに接続して、ユーザとコミュニケーションすることができる。さらに、コマンドも推奨されるため、ユーザにはコマンドを覚える必要はない。一つの会話フレームのみで、様々な応用デバイスを表示できる。家庭にある複数ブランドの電子装置は、すべて同じ会話フレームで表示できる。さらに、ユーザ（例えば家族、同じ事務所の同僚、同じ工場の作業場の作業者など）はすべて同じ会話フレームで、コマンドが対応した空間にある個々の電子装置の稼働状況を監視制御できる。よって、複数のＡＰＰをダウンロードする必要はなく、複数のユーザや複数の装置が同じ会話フレームで、対応した作業空間の機械稼働状況を把握できる。
【図面の簡単な説明】
【０００８】
【図１】本考案の一実施形態による制御装置の構造を示す模式図である。
【図２】本考案の一実施形態による第１応用図である。
【図３】本考案の一実施形態による第２応用図である。
【図４】本考案の一実施形態による第３応用図である。
【図５】本考案の一実施形態による第３応用図における会話フレームである。
【考案を実施するための形態】
【実施例】
【０００９】
本考案の特徴と長所のさらなる理解を図るため、添付図面を参照しながら、以下のとおり説明する。
図１〜図５に、本考案の一実施形態による会話型ソフトウェアを用いた制御装置を示す。次に説明する会話型ソフトウェアは、例えばＬＩＮＥ（登録商標）、ＷｅＣｈａｔ（登録商標）、Ｉｎｓｔａｇｒａｍ（登録商標）、または会話機能を持つソーシャルメディアＱＱ（登録商標）、Ｆａｃｅｂｏｏｋ（登録商標）等を様々な会話型ソフトウェアを含む。これらの会話型ソフトウェアは、携帯電話、パソコン、パッドコンピュータ、ノートパソコンなど、異なる電子装置に導入することができる。
【００１０】
第１会話ユニット１０は、特定な会話型ソフトウェアユニット５０に対応する。第１会話ユニット１０は、特定な会話型ソフトウェアユニット５０に対応し、第１会話フレーム１２と、第１ユーザーインターフェース１４と、第１出力ユニット１６とを含む。ユーザは、第１ユーザーインターフェース１４を介して、第１会話ユニット１０にログインし、第１会話フレーム１２を介して会話できる。そのうち、第１会話ユニット１０が携帯電話、パソコン、パッドコンピュータ、ＰＤＡ、ノートパソコンなどの第１電子情報装置７０に内蔵されている。会話型ソフトウェアユニット５０は、例えばＬＩＮＥ（登録商標）、ＷｅＣｈａｔ（登録商標）、Ｉｎｓｔａｇｒａｍ（登録商標）、ＱＱ（登録商標）、Ｆａｃｅｂｏｏｋ（登録商標）等のソーシャルネットワークキングサービスアプリである。
【００１１】
第２会話ユニット２０が第１会話ユニット１０に接続し、特定の会話型ソフトウェアユニット５０に対応する。第２会話ユニット２０は、第２会話フレーム２２と、第２ユーザーインターフェース２４と、第２出力ユニット２６とを含む。本案において、係る第２会話ユニット２０の第２会話フレーム２２は、例えば、バーチャルユニットを用いて、双方向会話のバーチャル接続することができ、携帯電話で実際に表示するグラフィックインターフェイスは必要ない。そのうち、第２会話ユニット２０がサーバ、携帯電話、パソコン、パッドコンピュータなど、第２電子情報装置４０に内蔵されている。好ましくは、係る第２電子情報装置４０をクラウド形でクラウド装置を形成して、複数の応用デバイスが係る第２会話ユニットにログインして会話できるようにする。
【００１２】
応用デバイス３０を第２電子情報装置４０の第２会話ユニット２０に接続し、第２ユーザーインターフェース２４を介して、第２会話ユニット２０にログインして、第２会話フレーム２２を介して会話する。
【００１３】
ダウンロードコンバーター４２を第２出力ユニット２６に接続し、係る第２会話ユニット２０のスクリプトをマシンコマンドに変換した上、ネットワークを介して伝送する。本案において、ダウンロードコンバーター４２は、スクリーニング機制をさらに含む。第２会話ユニット２０が会話スクリプトを受信したとき、まず、ダウンロードコンバーター４２に伝送して、係るスクリプトが受け入れられるコマンドであるかを検証し、受け入れるコマンドであれば、ネットワークを介して、係るコマンドを応用デバイス３０に伝送する。応用デバイス３０で受け付けないものは、ネットワークシステム１００を介して、エラーコマンド８６を第１会話ユニット１０に戻して、係る第１会話フレーム１２にて、コマンドエラーのコマンド８６を表示する。
【００１４】
アップロードコンバーター４４が、応用デバイス３０と第２会話ユニット２０とに接続して、応用デバイス３０のマシンコマンドを会話型ソフトウェアユニット５０の受け入れるスクリプトに変換した上、第２会話ユニット２０に伝送する。
【００１５】
本案の応用について、図２に示すように、ダウンロードするとき、ユーザが会話型ソフトウェアユニットの第１会話ユニット１０を介して、スクリプトコマンド８０を送る（例えば、電源をオンにし、電気をつける）。係るスクリプトコマンド８０は、第１出力ユニット１６、すなわちネットワークシステム１００を介して、クラウド側にある第２会話ユニット２０に伝送され、引き続き、係るダウンロードコンバーター４２によって、マシンコマンド８２に変換される。マシンコマンド８２は、ネットワークシステム１００を介して、マシン側ＡＰＰ  ３２に伝送される。応用デバイス３０によって、係るマシンコマンド８２を実行する。図において、点灯方式で表示される。
【００１６】
係るマシンコマンド８２が実行完了後、応用デバイス３０は、例えば、マシン側ＡＰＰ  ３２が動作し、コマンド８４を実行完了した後、ネットワークシステム１００を介して、クラウド側のアップロードコンバーター４４に伝送し、マシンコマンドをスクリプトセンテンスに変換する。そのセンテンスが第２会話ユニット２０を介して、第１会話ユニット１０に伝送され、第１会話フレーム１２より係るスクリプトを表示させる。よって、ユーザは現場にある応用デバイス３０の状況を把握できる。操作プロセス全体は、一般のアプリケーションソフトウェア会話のように行われる。
【００１７】
図３に示すように、本案は、コマンド推奨ユニット６０が更に含まれている。ダウンロードコンバーター４２は、変換後のスクリプトが応用デバイス３０に受け入れられないものと判断した場合、コマンド推奨ユニット６０に進み、設計ロジックを用いて対応するまたは近似、しかも受け入れられるコマンド（複数個または文字あるいはグラフィック表示方式）を、第２会話ユニット２０を介して、第１会話ユニット１０にフィードバックする。ユーザが選択した上、第１会話ユニット１０の受け入れるコマンドを生成した上、前述フローに沿って、応用デバイス３０に伝送する。
【００１８】
マシン側ＡＰＰ  ３２が応用デバイス３０に内蔵され、係るコンバーターのマシンコマンド８２を受信し、マシンコマンド８２に基づき、応用デバイス３０に必要な動作を指示する。
【００１９】
図４および図５に示すように、本案は例えば第１会話ユニット１０において、会話グループを形成した上、係るグループに複数の応用デバイス３０と、複数のユーザ９０、９１、９２を加えることができる。それぞれのユーザ９０、９１、９２が自らの第１電子情報装置７０の第１会話ユニット１０を介して、第１会話フレーム１２に進入して、会話グループを形成する。よって、複数のユーザ９０、９１、９２が同時に複数の応用デバイス３０を監視制御することができるのみならず、すべてのユーザが複数の応用デバイス３０を把握することによって、複数のユーザが同時に複数の応用デバイス３０の監視制御を実現する。
【００２０】
本案は前述構造において、例えば会話グループ一部のユーザに応用デバイス３０の操作権限を与えることができる。方法としては、係るユーザが会話する際、係るダウンロードコンバーター４２において、係るユーザによる係る応用デバイス３０操作権限を識別する。
【００２１】
以上に取り上げた説明は、本考案の実行可能な一実施例にすぎない。しかし、係る実施例は本考案の請求範囲に制限を加わるものではなく、本案の技術精神に逸脱しない等効果による実施または変更は、なお本案の請求範囲に含む。
【符号の説明】
【００２２】
１０・・・第１会話ユニット
１２・・・第１会話フレーム
１４・・・第１ユーザーインターフェース
１６・・・第１出力ユニット
２０・・・第２会話ユニット
２２・・・第２会話フレーム
２４・・・第２ユーザーインターフェース
２６・・・第２出力ユニット
３０・・・応用デバイス
３２・・・マシン側ＡＰＰ
４０・・・第２電子情報装置
４２・・・ダウンロードコンバーター
４４・・・アップロードコンバーター
６０・・・コマンド推奨ユニット
７０・・・第１電子情報装置
８０・・・スクリプトコマンド
８２・・・マシンコマンド
１００・・・ネットワークシステム
【図１】
0003226163.tif 000003
【図２】
0003226163.tif 000004
【図３】
0003226163.tif 000005
【図４】
0003226163.tif 000006
【図５】
0003226163.tif 000007
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
第１会話ユニットと、
第２会話ユニットと、
応用デバイスと、
ダウンロードコンバーターと、を備え、
前記第１会話ユニットは、特定の会話型ソフトウェアに対応し、第１会話フレームと、第１ユーザーインターフェースと、第１出力ユニットと、を含み、ユーザは、前記第１ユーザーインターフェースを介して、前記第１会話ユニットにログイン可能であり、前記第２会話ユニットが前記特定な会話型ソフトウェアに対応し、
前記第２会話ユニットは、前記第１会話ユニットに接続し、前記特定な会話型ソフトウェアに対応し、第２会話フレームと、第２ユーザーインターフェースと、第２出力ユニットとを含み、
前記応用デバイスを第２電子情報装置の前記第２会話フレームに接続し、前記第２ユーザーインターフェースを介して、前記第２会話ユニットにログインして、前記第２会話フレームを介して会話可能であり、
前記ダウンロードコンバーターを前記第２出力ユニットに接続し、前記第２会話ユニットのスクリプトをマシンコマンドに変換した上、コマンドがネットワークを介して伝送され、
コマンド推奨ユニットを更に含み、前記ダウンロードコンバーターが前記第１会話ユニットより送信した会話スクリプトが前記応用デバイスに受け入れ不能である場合、前記コマンド推奨ユニットに進み、設計ロジックを用いて、対応または近似で、かつ、受け入れ可能なコマンドを見つけ出して、前記第２会話ユニットを介して、第１電子情報装置の前記第１会話ユニットに伝送してユーザに選択させ、ユーザの目的に合致し、かつ、前記第１会話ユニットが受け入れ可能なコマンドを形成した上、前記応用デバイスに伝送することを特徴とする会話型ソフトウェアを用いた制御装置。
【請求項２】
前記第１会話ユニットにおいて会話グループを形成し、それぞれのユーザが自らの前記第１電子情報装置の前記第１会話ユニットを介して、前記第１会話フレームに進み、前記会話グループを形成可能であり、前記会話グループに少なくとも１つの前記応用デバイスを形成し、複数のユーザが少なくとも１つの前記応用デバイスの現状を把握し、複数ユーザが同時に前記応用デバイスの監視制御の目的を達成することを特徴とする請求項１記載の会話型ソフトウェアを用いた制御装置。
【請求項３】
会話グループの一部のユーザに前記応用デバイスの操作権限を与える方法として、前記ユーザが会話する際、前記ダウンロードコンバーターにおいて、前記ユーザにかかる前記応用デバイスの操作の権限を識別することを特徴とする請求項２記載の会話型ソフトウェアを用いた制御装置。